(57)【要約】【課題】浴室シャワーの使用有無を検知することにより浴室リモコンにおける設定温度変更の優先権を持たせるようにして、安全性と使い勝手の向上を図ることを目的とする。【解決手段】浴室リモコン３を含む複数のリモコン４により操作される給湯器本体１と、前記給湯器本体１より供給される湯水を利用した浴室シャワーと、前記浴室シャワーの使用有無を検知する流水検知器７を備え、前記流水検知器７の流水検知信号は前記浴室リモコン３で受信し、前記浴室リモコン３が流水検知信号より浴室シャワーの使用有りと判断したとき、浴室リモコン以外のリモコンでの給湯温度設定の変更を禁止するようにしたものである。【選択図】図１
2006010235.tif 000002
【特許請求の範囲】
【請求項１】
浴室リモコンを含む複数のリモコンにより操作される給湯器本体と、前記給湯器本体より供給される湯水を利用した浴室シャワーと、前記浴室シャワーの使用有無を検知する流水検知器を備え、前記流水検知器の流水検知信号は前記浴室リモコンで受信し、前記浴室リモコンが流水検知信号より浴室シャワーの使用有りと判断したとき、浴室リモコン以外のリモコンでの給湯温度設定の変更を禁止するようにした給湯器の制御装置。
【請求項２】
浴室リモコンが流水検知信号より浴室シャワーの使用有りと判断したとき、または、浴室シャワーの使用無しを検知後所定時間ｔは、浴室リモコン以外のリモコンでの給湯温度設定の変更を禁止するようにした請求項１記載の給湯器の制御装置。
【発明の詳細な説明】
【技術分野】
【０００１】
本発明は、給湯器リモコンの給湯温度設定の制御に関するものである。
【背景技術】
【０００２】
従来、この種の給湯器の温度設定制御は湯の使用中は優先権移動しないようにして、優先権のないリモコンでは温度設定の変更ができないようにしている（例えば、特許文献１参照）。
【０００３】
図４は、従来の給湯器の温度設定制御のフローチャートである。図４に示すように優先移動操作が有ったときに湯を使用中であれば優先権移動しないものである。
【特許文献１】特開平７−２６０２５０号公報
【発明の開示】
【発明が解決しようとする課題】
【０００４】
しかしながら、前記従来の構成では、複数のリモコン間で優先権を設定することで、優先権のあるリモコンで設定された給湯温度を用いて給湯器本体が制御されるため、優先権のないリモコン側にて設定温度を変更することができず、使い勝手が悪いという課題を有していた。
【０００５】
本発明は、前記従来の課題を解決するもので、浴室シャワーの使用有無を検知することにより浴室リモコンにおける設定温度変更の優先権を持たせるようにして、安全性と使い勝手の向上を図ることを目的としたものである。
【課題を解決するための手段】
【０００６】
前記従来の課題を解決するために、本発明の給湯器は、浴室リモコンを含む複数のリモコンにより操作される給湯器本体と、前記給湯器本体より供給される湯水を利用した浴室シャワーと、前記浴室シャワーの使用有無を検知する流水検知器を備え、前記流水検知器の流水検知信号は前記浴室リモコンで受信し、前記浴室リモコンが流水検知信号より浴室シャワーの使用有りと判断したとき、浴室リモコン以外のリモコンでの給湯温度設定の変更を禁止するようにしたものである。
【０００７】
これによって、シャワー使用中に使用場所以外で設定温度を変更されることがなく、安全性を高めることができるとともに、シャワーを使用していないときは浴室リモコン以外のリモコンでも設定温度の変更が可能となり、使い勝手の向上を図ることができる。
【発明の効果】
【０００８】
本発明の給湯器の制御装置は、シャワー使用中に浴室リモコン以外で設定温度の変更ができないようにすることで安全性を高め、また浴室シャワー以外の場所で湯を使用中には設定温度の変更を可能とすることで使い勝手の向上を図ることができる。
【発明を実施するための最良の形態】
【０００９】
第１の発明は、浴室リモコンを含む複数のリモコンにより操作される給湯器本体と、前記給湯器本体より供給される湯水を利用した浴室シャワーと、前記浴室シャワーの使用有無を検知する流水検知器を備え、前記流水検知器の流水検知信号は前記浴室リモコンで受信し、前記浴室リモコンが流水検知信号より浴室シャワーの使用有りと判断したとき、浴室リモコン以外のリモコンでの給湯温度設定の変更を禁止するようにしたことを特徴とするものであり、シャワー使用中に浴室リモコン以外で設定温度の変更ができないようにすることで安全性を高め、また浴室シャワー以外の場所で湯を使用中には設定温度の変更を可能とすることで使い勝手の向上を図ることができる。
【００１０】
第２の発明は、浴室リモコンが流水検知信号より浴室シャワーの使用有りと判断したとき、または、浴室シャワーの使用無しを検知後所定時間ｔは、浴室リモコン以外のリモコンでの給湯温度設定の変更を禁止するようにしたことを特徴とするものであり、シャワー使用中はもちろん、シャワー使用停止後所定時間は、浴室リモコンでのみ設定温度の変更ができるようにすることで、より安全性を高めることができる。
【００１１】
以下、本発明の実施の形態について、図面を参照しながら説明する。なお、この実施の形態によって本発明が限定されるものではない。
【００１２】
（実施の形態１）
図１は、本発明の実施の形態１における給湯器のシステム構成図である。
【００１３】
図１において、浴室リモコン３および台所リモコン４は設定温度や運転の入切などの遠隔制御できる操作手段５を備え、操作内容や現在の給湯器運転状況を表示手段６に表示するものであり、浴室リモコン３には浴室シャワー等に取り付けられた流水検知器７が接続されており、流水検知器７からの流水検知信号により浴室シャワーの使用有無を判断するようにしている。
【００１４】
前記浴室リモコン３および台所リモコン４は、通信信号線を介して本体制御装置２に接続されており、設定温度変更や運転入切操作、浴室シャワーの流水検知などを本体制御装置２へ指示するものである。給湯器本体１は本体制御装置２の通信信号に基づいて燃焼し、出湯するものである。
【００１５】
以上のように構成された給湯器の温度設定制御について、以下その動作、作用を説明する。
【００１６】
図２は、本発明の実施の形態１における給湯器の温度設定制御のフローチャートである。給湯使用中であり浴室シャワー流水有りで、浴室リモコン３の操作の場合であれば温度設定変更可能とし、浴室リモコン３以外のリモコンからの操作であれば温度設定変更しないものである。
【００１７】
また、給湯使用中で浴室シャワー流水無しの場合、すなわち浴室シャワー以外で給湯を使用中は温度設定変更が可能である。また、給湯使用していないときも温度設定変更が可能である。
【００１８】
以上のように、本実施の形態においては、浴室シャワーでは全身に湯を浴びるため、使用場所以外で温度設定変更されないようにすることで安全性を高め、また浴室シャワー以外で使用中には温度設定変更を可能とすることで使い易くすることができる。
【００１９】
（実施の形態２）
図３は、本発明の実施の形態２における給湯器の温度設定制御のフローチャートである。給湯使用中であり浴室シャワー流水有りで、浴室リモコンの操作の場合であれば温度設定変更可能とし、浴室リモコン以外のリモコンからの操作であれば温度設定変更しないものである。また、給湯使用中で浴室シャワー流水無しの場合、すなわち浴室シャワー以外で給湯を使用中は温度設定変更が可能である。そして、給湯使用していないときであっても浴室シャワー使用から所定時間ｔは浴室リモコンの操作の場合であれば温度設定変更可能とし、浴室リモコン以外のリモコンからの操作であれば温度設定変更しないものである。
【００２０】
以上のように、本実施の形態においては、浴室シャワー使用後から所定時間ｔは浴室で連続して使用された場合に対応できるように他リモコンからの温度設定変更不可とするタイマーを設け、より安全性を高めることができる。
【産業上の利用可能性】
【００２１】
以上のように、本発明にかかる給湯器は、シャワー使用中に使用場所以外で温度設定変更されないようにすることで安全性を高めた使い易い給湯器の温度設定制御を提供することが可能となるので、給湯器の設定温度の制御等の用途に適用できる。
【図面の簡単な説明】
【００２２】
【図１】本発明の実施の形態１における給湯器のシステム構成図
【図２】本発明の実施の形態１における給湯器の温度設定制御のフローチャート
【図３】本発明の実施の形態２における給湯器の温度設定制御のフローチャート
【図４】従来の給湯器の温度設定制御のフローチャート
【符号の説明】
【００２３】
１  給湯器本体
２  本体制御装置
３  浴室リモコン
４  台所リモコン
５  操作手段
６  表示手段
７  流水検知器
【図１】
2006010235.tif 000003
【図２】
2006010235.tif 000004
【図３】
2006010235.tif 000005
【図４】
2006010235.tif 000006